(57)【特許請求の範囲】
【請求項１】
音楽データソースから取得可能な音楽データを再生する音楽再生装置であって、
前記音楽データの属性を示すメタデータを取得するとともに、前記属性の音質に対する評価を示す評価データを随時取得する取得部と、
前記メタデータに基づいて、楽曲名及びアーティスト名が同じ複数の前記音楽データを取得可能であると判定した場合に、当該複数の音楽データの前記メタデータと、前記評価データとに基づいて、再生すべき音楽データを選択する制御部と
を備え、
複数の前記音楽データソースは、
有線を介して前記音楽データが取得される有線音楽データソースと、無線を介して前記音楽データが取得される無線音楽データソースとを含み、
前記制御部は、
前記無線音楽データソースの前記音楽データに優先して、前記有線音楽データソースの前記音楽データを選択し、選択された音楽データの中から、前記評価データに基づいて前記再生すべき音楽データとして選択する、音楽再生装置。
【請求項２】
請求項１に記載の音楽再生装置であって、
前記制御部は、
前記複数の音楽データの前記メタデータが示す複数の前記属性のうち、前記評価データの前記評価が最も高い属性の音楽データを、前記再生すべき音楽データとして選択する、音楽再生装置。
【請求項３】
請求項１または請求項２に記載の音楽再生装置であって、
前記取得部は、
前記音楽再生装置の電源がオンになった時点、及び、前記音楽再生装置が前記音楽データを選択しようとする時点の少なくともいずれか１つの時点において、前記評価データを取得する、音楽再生装置。
【請求項４】
請求項１から請求項３のうちのいずれか１項に記載の音楽再生装置であって、
前記評価データは、
主観評価データと客観評価データとの少なくともいずれか１つを含む、音楽再生装置。
【請求項５】
請求項４に記載の音楽再生装置であって、
前記主観評価データは、平均オピニオン評点法またはＭＵＳＨＲＡ法を用いることによって得られたデータであり、
前記客観評価データは、ＰＥＳＱ法を用いることによって得られたデータである、音楽再生装置。
【請求項６】
音楽データソースから取得可能な音楽データを再生する音楽再生方法であって、
前記音楽データの属性を示すメタデータを取得するとともに、前記属性の音質に対する評価を示す評価データを随時取得し、
前記メタデータに基づいて、楽曲名及びアーティスト名が同じ複数の前記音楽データを取得可能であると判定した場合に、当該複数の音楽データの前記メタデータと、前記評価データとに基づいて、再生すべき音楽データを選択し、
複数の前記音楽データソースは、
有線を介して前記音楽データが取得される有線音楽データソースと、無線を介して前記音楽データが取得される無線音楽データソースとを含み、
前記無線音楽データソースの前記音楽データに優先して、前記有線音楽データソースの前記音楽データを選択し、選択された音楽データの中から、前記評価データに基づいて前記再生すべき音楽データとして選択する、音楽再生方法。
【発明の詳細な説明】
【技術分野】
【０００１】
本発明は、音楽データソースから取得可能な音楽データを再生する音楽再生装置及び音楽再生方法に関する。
【背景技術】
【０００２】
近年、音楽データを再生するだけでなく、音楽データの属性（例えば音楽データの楽曲名、アーティスト名、音楽データの供給元である音楽データソースの種別など）を表示する音楽再生装置が知られている。
【０００３】
例えば特許文献１に開示された音楽再生装置は、音楽データの属性を示す楽曲情報に基づいて、楽曲名及びアーティスト名等に関するリストを作成し、当該リストを表示するように構成されている。また、特許文献１に開示された音楽再生装置は、複数の音楽データソースから同じ複数の音楽データを取得可能である場合に、音質順に並べた音楽データソースの順番を用いて、音質が高い音楽データソースの音楽データを再生することが可能となっている。
【先行技術文献】
【特許文献】
【０００４】
【特許文献１】特開２００７−０４２１６９号公報
【発明の概要】
【発明が解決しようとする課題】
【０００５】
しかしながら、実運用上、音楽データソースの音質は変動する場合があるにもかかわらず、特許文献１の技術では、上述の音楽データソースの順番が固定されている。このため、音質の変動に対応することができないという問題があった。
【０００６】
そこで、本発明は、上記のような問題点を鑑みてなされたものであり、例えば音楽データソースなどの属性の音質が変動した場合に、その変動に対応することが可能な技術を提供することを目的とする。
【課題を解決するための手段】
【０００７】
本発明の第１局面に係る音楽再生装置は、音楽データソースから取得可能な音楽データを再生する音楽再生装置であって、音楽データの属性を示すメタデータを取得するとともに、属性の音質に対する評価を示す評価データを随時取得する取得部と、メタデータに基づいて、楽曲名及びアーティスト名が同じ複数の音楽データを取得可能であると判定した場合に、当該複数の音楽データのメタデータと、評価データとに基づいて、再生すべき音楽データを選択する制御部とを備える。複数の音楽データソースは、有線を介して音楽データが取得される有線音楽データソースと、無線を介して音楽データが取得される無線音楽データソースとを含み、制御部は、無線音楽データソースの音楽データに優先して、有線音楽データソースの音楽データを選択し、選択された音楽データの中から、評価データに基づいて再生すべき音楽データとして選択する。
【０００８】
本発明の第２局面に係る音楽再生方法は、音楽データソースから取得可能な音楽データを再生する音楽再生方法であって、音楽データの属性を示すメタデータを取得するとともに、属性の音質に対する評価を示す評価データを随時取得し、メタデータに基づいて、楽曲名及びアーティスト名が同じ複数の音楽データを取得可能であると判定した場合に、当該複数の音楽データのメタデータと、評価データとに基づいて、再生すべき音楽データを選択する。複数の音楽データソースは、有線を介して音楽データが取得される有線音楽データソースと、無線を介して音楽データが取得される無線音楽データソースとを含み、無線音楽データソースの音楽データに優先して、有線音楽データソースの音楽データを選択し、選択された音楽データの中から、評価データに基づいて再生すべき音楽データとして選択する。
【発明の効果】
【０００９】
本発明によれば、属性の音質が変動した場合に、その変動に対応することができる。
【図面の簡単な説明】
【００１０】
【図１】実施の形態１に係る音楽再生装置のハードウェア構成を示すブロック図である。
【図２】実施の形態１に係る音楽再生装置の機能構成を示すブロック図である。
【図３】実施の形態２に係る音楽再生装置の機能構成を示すブロック図である。
【図４】実施の形態２に係る有線音楽データソースの順番を示す図である。
【図５】実施の形態２に係る圧縮形式の順番を示す図である。
【図６】実施の形態２に係る無線音楽データソースの順番を示す図である。
【図７】実施の形態２に係る音楽再生装置の動作を示すフローチャートである。
【図８】変形例１に係るビットレートの順番を示す図である。
【図９】その他の変形例に係るサーバの構成を示すブロック図である。
【図１０】その他の変形例に係る通信端末の構成を示すブロック図である。
【発明を実施するための形態】
【００１１】
＜実施の形態１＞
以下、本発明の実施の形態１に係る音楽再生装置について説明する。なお、この音楽再生装置は、後述するようにナビゲーション装置（またはナビゲーションシステム）などに適用される。
【００１２】
図１は、本実施の形態１に係る音楽再生装置１のハードウェア構成を示すブロック図である。図１の音楽再生装置１は、受信装置９１と、ＣＰＵ（Central Processing Unit）などからなるプロセッサ９２と、メモリ９３とを備えている。受信装置９１には、例えば通信装置、及び、その周辺装置（例えばそれと接続されるインターフェース装置など）が含まれる。メモリ９３には、例えばＨＤＤ（Hard Disk Drive）、ＤＶＤ（Digital Versatile Disc）及びそのドライブ装置、並びに、半導体メモリの少なくともいずれか１つが含まれる。
【００１３】
なお、音楽再生装置１は、別体の表示装置（例えばディスプレイ）と、別体の音声出力装置（例えばスピーカ）と接続されており、これら装置を制御することが可能となっている。
【００１４】
図２は、本実施の形態１に係る音楽再生装置１の機能構成を示すブロック図である。図２の音楽再生装置１は、取得部１１と、音楽再生装置１の各構成要素を統括的に制御する制御部１２とを備えている。
【００１５】
この音楽再生装置１は、音楽データソースから取得可能な音楽データを再生するように構成されている。ここで、音楽データソースは音楽データの供給元である。このような音楽データソースには、例えば、取得部１１がアクセス可能な、音楽データを記憶した記憶媒体と、取得部１１が受信可能な、音楽データが重畳された無線信号と、の少なくともいずれか１つが適用される。
【００１６】
次に、音楽再生装置１の各構成要素について説明する。
【００１７】
取得部１１は、図１の受信装置９１に対応する。この取得部１１は、音楽データソースから取得可能な音楽データに関して、当該音楽データの属性を示すメタデータ（ブラウジングデータ）を取得する。なお、音楽データの属性には、例えば、楽曲名、アーティスト名、音楽データソースの種別、及び、圧縮形式などが含まれる。
【００１８】
また、取得部１１は、メタデータを取得するだけでなく、属性の音質に対する評価を示す評価データを随時取得する。例えば、評価データの評価には、音楽データソースの音質に対する評価、及び、圧縮形式の音質に対する評価などが含まれる。
【００１９】
制御部１２は、音楽データを選択する音楽データ選択部（図示せず）の機能が実現されている。本実施の形態１では、制御部１２は、同じ複数の音楽データを取得可能であると判定した場合に、当該複数の音楽データのメタデータと、評価データとに基づいて、再生すべき音楽データを選択する。
【００２０】
なお、制御部１２は、図１のプロセッサ９２がメモリ９３に記憶されたプログラムを実行することにより、当該プロセッサ９２の機能として実現される。ただし、制御部１２は、複数のプロセッサ９２が連携して実現されてもよい。
【００２１】
＜実施の形態１のまとめ＞
以上のような本実施の形態１によれば、随時取得される評価データが示す属性の音質に対する評価を考慮して、再生すべき音楽データを選択する。したがって、属性の音質が変動した場合に、その変動に対応することができる。
【００２２】
＜実施の形態２＞
図３は、本発明の実施の形態２に係る音楽再生装置１の機能構成を示すブロック図である。なお、本実施の形態２に係る音楽再生装置１において、以上で説明した構成要素と同一または類似するものについては同じ参照符号を付し、異なる部分について主に説明する。
【００２３】
図３の音楽再生装置１は、上述の取得部１１及び制御部１２に加えて、評価データ格納部１３を備えている。また、音楽再生装置１は、図１の音声出力装置に対応する別体の音声出力部４６と接続されている。制御部１２は、音声出力部４６に含まれる音声出力制御部４６ａを制御することによって、音楽データの音声などを音声出力部４６に出力させることが可能となっている。同様に、音楽再生装置１は、図１の表示装置に対応する別体の表示部４７と接続されている。制御部１２は、表示部４７に含まれる表示制御部４７ａを制御することによって、音楽データの楽曲名、アーティスト名などを表示部４７に表示させることが可能となっている。
【００２４】
次に、音楽再生装置１の各構成要素について説明する。
【００２５】
取得部１１は、無線通信インターフェース１１ａと、有線通信インターフェース１１ｂと、通信部１１ｃとを備えている。
【００２６】
無線通信インターフェース１１ａは、音楽データなどが重畳された無線信号を受信可能に構成されている。なお、無線信号には、例えば、携帯電話、スマートフォン及びタブレットなどの携帯端末４１ａから、例えばＢｌｕｅｔｏｏｔｈ（登録商標）、無線ＬＡＮ（Local Area Network）、ＷｉＦｉ（登録商標）などの通信形式を用いて送信された信号が適用される。ただし、無線信号の送信元、及び、通信形式は、これらに限ったものではない。
【００２７】
有線通信インターフェース１１ｂは、音楽データなどを記憶した記憶媒体にアクセス可能に構成されている。なお、記憶媒体には、例えば、ＣＤ（Compact Disc）、及び、ＤＶＤ、並びに、ＵＳＢ（Universal Serial Bus）などを介して有線通信インターフェース１１ｂと接続可能な携帯端末及び携帯型音楽再生装置などが適用される。ただし、記憶媒体は、これらに限ったものではない。
【００２８】
通信部１１ｃは、上述の無線信号（無線音楽データソース）から、無線通信インターフェース１１ａを介して音楽データと、当該音楽データのメタデータとを取得し、それらデータを制御部１２に出力する。同様に、通信部１１ｃは、上述の記憶媒体（有線音楽データソース）から、有線通信インターフェース１１ｂを介して音楽データと、当該音楽データのメタデータとを取得し、それらデータを制御部１２に出力する。
【００２９】
通信部１１ｃは、音楽データ及びメタデータを取得するだけでなく、無線通信インターフェース１１ａ及び有線通信インターフェース１１ｂの少なくともいずれか１つを介して、上述の評価データを取得する。例えば、通信部１１ｃは、図示しないサーバから無線通信インターフェース１１ａを介して評価データを取得する。
【００３０】
本実施の形態２では、評価データは、主観評価データと客観評価データとを含んでいる。なお、主観評価データとは、人間が実際に音を聞いた結果に基づいて割り当てた点数を示すデータであり、客観評価データとは、音の何らかの性質を測定した結果に基づいて割り当てた点数を示すデータである。
【００３１】
主観評価データには、例えば、平均オピニオン評点法またはＭＵＳＨＲＡ（MUltiple Stimuli with Hidden Reference and Anchor）法を用いることによって得られたデータが適用される。客観評価データには、例えば、ＰＥＳＱ（Perceptual Evaluation of Speech Quality）法を用いることによって得られたデータが適用される。これら主観評価データ及び客観評価データでは、音質の評価が高くなるほど、上述の点数が大きくなる。
【００３２】
なお、本実施の形態２では、通信部１１ｃは、上述した評価データの取得を随時行う。例えば、通信部１１ｃ（取得部１１）は、音楽再生装置１の電源がオンになった時点、及び、音楽再生装置１が音楽データを選択しようとする時点の少なくともいずれか１つの時点において、評価データを取得する。
【００３３】
制御部１２は、通信部１１ｃで取得された評価データに基づいて、評価が高いものから順に属性を並べる。本実施の形態２のように、評価データが主観評価データと客観評価データとを含む場合には、制御部１２は、それらの点数に相加平均または加重平均を行い、それによって得られた平均値が高いものから順に属性を並べる。制御部１２は、得られた属性の順番を評価データ格納部１３に記憶する。このようなデータの処理及び記憶は、通信部１１ｃが評価データを取得するごとに行われる。
【００３４】
図４〜図６は、評価データ格納部１３に記憶される属性の順番の一例を示す図である。具体的には、図４には、音質の評価が高いものから順に並べられた有線音楽データソースの順番の一例が示され、図５には、音質の評価が高いものから順に並べられた圧縮形式の順番の一例が示され、図６には、音質の評価が高いものから順に並べられた無線音楽データソースの順番の一例が示されている。
【００３５】
制御部１２は、メタデータに基づき、例えばユーザから再生しようとする楽曲（音楽）について、一または複数の音楽データソースから同じ複数の音楽データを取得可能であるか否かを判定する。ここでは、一の音楽データにおける楽曲名及びアーティスト名と、別の音楽データにおける楽曲名及びアーティスト名とがそれぞれ一致する場合に、制御部１２は、一の音楽データと別の音楽データとが同じであると判定する。なお、この判定は、これに限ったものではなく、例えば、制御部１２は楽曲のリリース日なども考慮して当該判定を行ってもよい。
【００３６】
実施の形態１と同様に、制御部１２は、同じ複数の音楽データを取得可能であると判定した場合に、当該複数の音楽データのメタデータと、評価データとに基づいて、再生すべき音楽データを選択する。ただし、本実施の形態２では、制御部１２は、同じ複数の音楽データを取得可能であると判定した場合に、メタデータと、評価データ格納部１３に格納された属性の順番とに基づいて、当該複数の音楽データのメタデータが示す複数の属性のうち、評価データにおける評価が最も高い属性の音楽データを、再生すべき音楽データとして選択する。
【００３７】
そして、制御部１２は、選択した音楽データを再生して、当該音楽データの音声を音声出力部４６に出力させる。なお、この際に、制御部１２は、選択した音楽データの属性（例えば音楽データの楽曲名、アーティスト名、音楽データソースの種別、圧縮形式など）を表示部４７に表示させてもよい。
【００３８】
＜動作＞
図７は、本実施の形態２に係る音楽再生装置１の動作を示すフローチャートである。この図７の動作は、例えば、図示しない入力部が、ユーザから再生しようとする楽曲（音楽）を受け付けた場合に開始する。なお、図示しないが、図７の動作とは別に、通信部１１ｃ（取得部１１）が評価データを取得するごとに、評価データ格納部１３に記憶される属性の順番は更新されているものとする。
【００３９】
まず、ステップＳ１にて、通信部１１ｃ（取得部１１）は、音楽データソースから音楽データの属性を示すメタデータを取得する。
【００４０】
ステップＳ２にて、制御部１２は、取得したメタデータに基づき、ユーザから受け付けた楽曲について、一または複数の音楽データソースから同じ複数の音楽データを取得可能であるか否かを判定する。取得可能であると判定した場合にはステップＳ３に進み、そうでない場合にはステップＳ１２に進む。
【００４１】
ステップＳ３にて、制御部１２は、複数の音楽データのメタデータに基づき、ユーザから受け付けた楽曲について、有線音楽データソースから音楽データを取得可能であるか否かを判定する。ここでは、制御部１２は、複数の音楽データソースが少なくとも１つの有線音楽データソースを含む場合に、有線音楽データソースから音楽データを取得可能であると判定する。例えば、複数の音楽データソースが複数の有線音楽データソースのみを含む場合だけでなく、有線音楽データソース（例えばＵＳＢ）及び無線音楽データソース（例えばＢｌｕｅｔｏｏｔｈの信号）の両方を含む場合にも、制御部１２は、有線音楽データソースから音楽データを取得可能であると判定する。一方、複数の音楽データソースが複数の無線音楽データソースのみを含む場合には、制御部１２は、有線音楽データソースから音楽データを取得可能でないと判定する。取得可能であると判定した場合にはステップＳ４に進み、そうでない場合にはステップＳ８に進む。
【００４２】
ステップＳ４にて、制御部１２は、複数の音楽データのメタデータに基づき、ユーザから受け付けた楽曲について、複数の有線音楽データソースから音楽データを取得可能であるか否かを判定する。取得可能であると判定した場合にはステップＳ５に進み、そうでない場合にはステップＳ６に進む。
【００４３】
ステップＳ５にて、制御部１２は、複数の音楽データのメタデータが示す複数の有線音楽データソースのうち、評価データの評価が最も高い有線音楽データソースの音楽データを、再生すべき音楽データとして選択する。
【００４４】
例えば、図４のような有線音楽データソースの順番が評価データ格納部１３に記憶されている際に、ステップＳ１で取得した複数の音楽データのメタデータが、ＣＤ、及び、ＵＳＢ経由の携帯型音楽再生装置という複数の有線音楽データソースを示した場合を想定する。このような場合には、制御部１２は、ＣＤ、及び、ＵＳＢ経由の携帯型音楽再生装置のうち、評価データの評価が最も高いＣＤの音楽データを、再生すべき音楽データとして選択する。
【００４５】
ステップＳ６にて、制御部１２は、複数の音楽データのメタデータに基づき、ユーザから受け付けた楽曲について、一の有線音楽データソースから複数の圧縮形式の音楽データを取得可能であるか否かを判定する。取得可能であると判定した場合にはステップＳ７に進み、そうでない場合にはステップＳ１２に進む。
【００４６】
ステップＳ７にて、制御部１２は、複数の音楽データのメタデータが示す複数の圧縮形式のうち、評価データの評価が最も高い圧縮形式の音楽データを、再生すべき音楽データとして選択する。
【００４７】
例えば、図５のような圧縮形式の順番が評価データ格納部１３に記憶されている際に、ステップＳ１で取得した複数の音楽データのメタデータが、ＷＭＡ、及び、ＡＡＣという複数の圧縮形式を示した場合を想定する。このような場合には、制御部１２は、ＷＭＡ、及び、ＡＡＣのうち、評価データの評価が最も高いＷＭＡの音楽データを、再生すべき音楽データとして選択する。その後、ステップＳ１２に進む。
【００４８】
以上、ステップＳ４〜Ｓ７において、有線音楽データソース及び圧縮形式に関して、再生すべき音楽データが選択される動作について説明した。この動作において、有線音楽データソースを無線音楽データソースに代えた動作がステップＳ８〜Ｓ１１において行われる。
【００４９】
具体的には、ステップＳ８にて、制御部１２は、複数の音楽データのメタデータに基づき、ユーザから受け付けた楽曲について、複数の無線音楽データソースから音楽データを取得可能であるか否かを判定する。取得可能であると判定した場合にはステップＳ９に進み、そうでない場合にはステップＳ１０に進む。
【００５０】
ステップＳ９にて、制御部１２は、複数の音楽データのメタデータが示す複数の無線音楽データソースのうち、評価データの評価が最も高い無線音楽データソースの音楽データを、再生すべき音楽データとして選択する。
【００５１】
ステップＳ１０にて、制御部１２は、複数の音楽データのメタデータに基づき、ユーザから受け付けた楽曲について、一の無線音楽データソースから複数の圧縮形式の音楽データを取得可能であるか否かを判定する。取得可能であると判定した場合にはステップＳ１１に進み、そうでない場合にはステップＳ１２に進む。
【００５２】
ステップＳ１１にて、制御部１２は、複数の音楽データのメタデータが示す複数の圧縮形式のうち、評価データの評価が最も高い圧縮形式の音楽データを、再生すべき音楽データとして選択する。その後、ステップＳ１２に進む。
【００５３】
ステップＳ２からステップＳ１２に進んでいた場合、制御部１２は、一の音楽データを再生して、当該音楽データの音声を音声出力部４６に出力させる。ステップＳ６，Ｓ７，Ｓ１０，Ｓ１１からステップＳ１２に進んでいた場合、制御部１２は、選択した一の音楽データを再生して、当該音楽データの音声を音声出力部４６に出力させる。
【００５４】
＜実施の形態２のまとめ＞
以上のような本実施の形態２によれば、実施の形態１と同様に、随時取得される評価データが示す属性の音質に対する評価を考慮して、再生すべき音楽データを選択する。したがって、属性の音質が変動した場合に、その変動に対応することができる。
【００５５】
また、本実施の形態２によれば、制御部１２は、複数の属性のうち、評価データの評価が最も高い属性の音楽データを、再生すべき音楽データとして選択する。これにより、ユーザは、可及的に音質が良い音楽データを聞くことができる。
【００５６】
また、本実施の形態２によれば、取得部１１は、音楽再生装置１の電源がオンになった時点、及び、音楽再生装置１が音楽データを選択しようとする時点の少なくともいずれか１つの時点において、評価データを取得する。これにより、比較的新しい比較データを用いて音楽データを選択することができる。なお、これに限ったものではなく、取得部１１は、一定周期ごとの時点おいて、評価データを取得してもよい。
【００５７】
また、本実施の形態２によれば、ステップＳ３において制御部１２は、有線音楽データソースから音楽データを取得可能であれば、無線音楽データソースから音楽データを取得可能であるか否かに関わらず、有線音楽データソースの音楽データを選択する。つまり、制御部１２は、無線音楽データソースの音楽データに優先して、有線音楽データソースの音楽データを、再生すべき音楽データとして選択する。このような構成によれば、音飛びを低減することができるので、ユーザは、可及的に音質が良い音楽データを聞くことができる。
【００５８】
＜変形例１＞
実施の形態２では、制御部１２は、圧縮形式に関して再生すべき音楽データを選択した。しかしながら、同じ圧縮形式であっても、ビットレートが異なれば、一般的に音質は異なる。そこで、属性にビットレートが含まれる場合には、制御部１２は、圧縮形式などと同様に、通信部１１ｃで取得された評価データに基づいて、評価が高いものからビットレートを順に並べ、それによって得られたビットレートの順番を評価データ格納部１３に記憶してもよい。図８に、評価データ格納部１３に記憶されるビットレートの順番の一例を示す。
【００５９】
また、制御部１２は、図７のステップＳ６，Ｓ７，Ｓ１０またはＳ１１の後に、複数の音楽データのメタデータに基づき、ビットレートが異なる複数の音楽データを取得可能であるか否かを判定してもよい。そして、制御部１２は、取得可能であると判定した場合に、複数のビットレートのうち、評価データの評価が最も高いビットレートの音楽データを、再生すべき音楽データとして選択してもよい。
【００６０】
＜変形例２＞
実施の形態２では、評価データは、主観評価データと客観評価データの両方を含むものとして説明した。しかしこれに限ったものではなく、評価データは、主観評価データ及び客観評価データのいずれか一方を含むものであっても、上述の同様の動作及び作用を実現することができる。
【００６１】
なお、実施の形態２では、主観評価データは、平均オピニオン評点法またはＭＵＳＨＲＡ法を用いることによって得られたデータであるとしたが、これに限ったものではない。同様に、客観評価データは、ＰＥＳＱ法を用いることによって得られたデータであるとしたが、これに限ったものではない。
【００６２】
また、実施の形態２では、通信部１１ｃ（取得部１１）が、音楽データソース（記憶媒体、無線信号）から、音楽データのメタデータを取得すると説明した。しかしこれに限ったものではなく、例えば、通信部１１ｃ（取得部１１）が、無線通信インターフェース１１ａ及び有線通信インターフェース１１ｂの関係を考慮して、メタデータの属性のうちの音楽データソースの種別を判定してもよい。
【００６３】
＜その他の変形例＞
以上の説明では、制御部１２は、図１のプロセッサ９２がメモリ９３等に記憶されたソフトウェアプログラムに従って動作することにより実現された。しかしこれに代えて、制御部１２は、当該動作をハードウェアの電気回路で実現する信号処理回路により実現されてもよい。ソフトウェアの制御部１２と、ハードウェアの制御部１２とを合わせた概念として、「処理回路」という語を用いることもできる。
【００６４】
また、以上で説明した音楽再生装置は、車両に搭載可能な備え付けられたナビゲーション装置、Portable Navigation Device、通信端末（例えば携帯電話、スマートフォン、及びタブレットなどの携帯端末）、及びこれらにインストールされるアプリケーションの機能、並びにサーバなどを適宜に組み合わせてシステムとして構築される音楽再生システムにも適用することができる。この場合、以上で説明した音楽再生装置の各機能あるいは各構成要素は、前記システムを構築する各機器に分散して配置されてもよいし、いずれかの機器に集中して配置されてもよい。また例えば、音楽再生装置は、以上の説明では別体であった音声出力部４６及び表示部４７の少なくともいずれか１つを備えていてもよい。
【００６５】
図９は、本変形例に係るサーバ５１の構成を示すブロック図である。図９のサーバ５１は、通信部５１ａと制御部５１ｂとを備えており、車両５２の音楽再生装置５３が備える通信部５３ａと無線通信を行うことが可能となっている。
【００６６】
通信部５１ａ（取得部）は、通信部５３ａと無線通信を行うことにより、音楽再生装置５３が取得可能な音楽データの属性を示すメタデータを受信するとともに、前記属性の音質に対する評価を示す評価データを随時受信する。
【００６７】
制御部５１ｂは、サーバ５１の図示しないプロセッサなどが、サーバ５１の図示しない記憶装置に記憶されたプログラムを実行することにより、上述の制御部１２と同様の機能を有している。つまり、制御部５１ｂは、同じ複数の前記音楽データを音楽再生装置５３が取得可能であると判定した場合に、当該複数の音楽データのメタデータと、評価データとに基づいて、再生すべき音楽データを選択する。そして、通信部５１ａは、制御部５１ｂの選択結果を音楽再生装置５３に送信する。
【００６８】
このように構成されたサーバ５１によれば、実施の形態１で説明した音楽再生装置１と同様に、属性の音質が変動した場合に、その変動に対応することができる。
【００６９】
図１０は、本変形例に係る通信端末５６の構成を示すブロック図である。図１０の通信端末５６は、通信部５１ａと同様の通信部５６ａと、制御部５１ｂと同様の制御部５６ｂとを備えており、車両５７の音楽再生装置５８が備える通信部５８ａと無線通信を行うことが可能となっている。なお、通信端末５６には、例えば車両５７の運転者が携帯する携帯電話機、スマートフォン、及びタブレットなどの携帯端末が適用される。このように構成された通信端末５６によれば、実施の形態１で説明した音楽再生装置１及び図９のサーバ５１と同様に、属性の音質が変動した場合に、その変動に対応することができる。
【００７０】
なお、本発明は、その発明の範囲内において、各実施の形態及び各変形例を自由に組み合わせたり、各実施の形態及び各変形例を適宜、変形、省略したりすることが可能である。
【符号の説明】
【００７１】
１  音楽再生装置、１１  取得部、１２  制御部。
【図１】
0006440565.tif 000002
【図２】
0006440565.tif 000003
【図３】
0006440565.tif 000004
【図４】
0006440565.tif 000005
【図５】
0006440565.tif 000006
【図６】
0006440565.tif 000007
【図７】
0006440565.tif 000008
【図８】
0006440565.tif 000009
【図９】
0006440565.tif 000010
【図１０】
0006440565.tif 000011